(57)【要約】【課題】  移動端末に付随する付加機能の動作モードを効率的に設定することを目的とする。【解決手段】  移動端末は、複数の動作モードを有する機能部；前記機能部の動作モードの切替履歴を格納する記憶部；切替履歴に基づいて切替スケジュールを作成し、切替スケジュールに基づいて前記機能部の動作モードを選択する制御部；及び前記機能部の動作モードを前記制御部で選択された動作モードに切り替え、前記機能部が所定時間内に切替後の動作モードで使用されない場合、切替前の動作モードに戻す動作モード設定部；を有する。【選択図】  図３
2010272965.tif 000002
【特許請求の範囲】
【請求項１】
複数の動作モードを有する機能部；
前記機能部の動作モードの切替履歴を格納する記憶部；
切替履歴に基づいて切替スケジュールを作成し、切替スケジュールに基づいて前記機能部の動作モードを選択する制御部；及び
前記機能部の動作モードを前記制御部で選択された動作モードに切り替え、前記機能部が所定時間内に切替後の動作モードで使用されない場合、切替前の動作モードに戻す動作モード設定部；
を有する移動端末。
【請求項２】
前記動作モード設定部は、前記機能部が使用中である場合、使用終了後に、前記機能部の動作モードを前記制御部で選択された動作モードに切り替える、請求項１に記載の移動端末。
【請求項３】
前記制御部は、１週間前の同じ曜日及び前日の切替履歴に基づいて切替スケジュールを作成する、請求項１又は２に記載の移動端末。
【請求項４】
前記記憶部は、動作モードと優先度との対応関係を格納し、
前記動作モード設定部は、切替前の動作モードの優先度と切替後の動作モードの優先度とを比較し、切替後の動作モードの優先度が低い場合、且つ、前記機能部が所定時間内に切替後の動作モードで使用されない場合、切替前の動作モードに戻す、請求項１乃至３のうちいずれか１項に記載の移動端末。
【請求項５】
前記制御部は、優先度として使用時間を前記記憶部に格納し、
前記動作モード設定部は、切替前の動作モードの使用時間と切替後の動作モードの使用時間とを比較し、切替後の動作モードの使用時間が短い場合、且つ、前記機能部が所定時間内に切替後の動作モードで使用されない場合、切替前の動作モードに戻す、請求項４に記載の移動端末。
【請求項６】
前記記憶部は、動作モードと優先度との対応関係を格納し、
前記制御部は、前記機能部が低い優先度の動作モードに切り替えられた場合、切替履歴を前記記憶部に格納する、請求項１乃至３のうちいずれか１項に記載の移動端末。
【請求項７】
移動端末の位置情報を取得する位置情報取得部；
を更に有し、
前記記憶部は、切替履歴と共に位置情報を格納し、
前記制御部は、現在の位置情報と前記記憶部に格納された位置情報との比較に更に基づいて、前記機能部の動作モードを選択する、請求項１乃至６のうちいずれか１項に記載の移動端末。
【請求項８】
複数の動作モードを有する機能部が含まれる移動端末における動作モード切替方法であって：
前記機能部の動作モードの切替履歴を格納するステップ；
切替履歴に基づいて切替スケジュールを作成し、切替スケジュールに基づいて前記機能部の動作モードを選択するステップ；及び
前記機能部の動作モードを前記制御部で選択された動作モードに切り替え、前記機能部が所定時間内に切替後の動作モードで使用されない場合、切替前の動作モードに戻すステップ；
を有する動作モード切替方法。
【発明の詳細な説明】
【技術分野】
【０００１】
本発明は、移動端末及び動作モード切替方法に関する。
【背景技術】
【０００２】
携帯電話等の移動端末には、無線ＬＡＮ、Ｂｌｕｅｔｏｏｔｈ又はＵＳＢ等の移動端末に付随する付加機能が含まれている。すなわち、移動端末には、移動通信システムの基地局との通信以外の用途に使用される付加機能が含まれている。このような付加機能を使用する際に、使用開始前に付加機能をオンに設定し、使用終了後に付加機能をオフに設定することが望ましい。
【０００３】
また、パソコンと移動端末とをＵＳＢケーブルで接続して通信する場合、移動端末ユーザは、使用する機能に応じて移動端末のＵＳＢモードを設定する必要がある。例えば、パソコンと移動端末との間でデータ転送する場合には、移動端末ユーザは、ＵＳＢモードを通信モードに設定する必要がある。
【０００４】
例えば、特許文献１（特開２００４−２５３９８０号）及び特許文献２（特開２００２−１１１７９０号）には、移動端末ユーザが設定した時間にマナーモード及び着信通知方式を自動的に切り替える方法が提案されている。しかし、これらの特許文献には、移動端末に付随する付加機能の動作モードの設定に関する具体的な方法は提案されていない。
【先行技術文献】
【特許文献】
【０００５】
【特許文献１】特開２００４−２５３９８０号
【特許文献１】特開２００２−１１１７９０号
【発明の概要】
【発明が解決しようとする課題】
【０００６】
無線ＬＡＮ、Ｂｌｕｅｔｏｏｔｈ又はＵＳＢのような移動端末に付随する付加機能の切り替えのために、移動端末ユーザは、移動端末のメニューから手作業で付加機能のオン／オフ又は動作モードを設定する必要がある。また、手作業での設定のため、移動端末ユーザが使用終了後に付加機能をオフに設定し忘れると、移動端末のバッテリを無駄に消費する。
【０００７】
従って、移動端末で設定された動作モードの切替履歴に基づいて、動作モードを自動的に切り替えることが望まれる。更に、設定された動作モードで使用されなかった場合、切替前の動作モードに戻すことが望ましい。
【０００８】
本発明は、上記の課題のうち少なくとも１つを解決するためになされたものであり、移動端末に付随する付加機能の動作モードを効率的に設定することを目的とする。
【課題を解決するための手段】
【０００９】
本発明の移動端末は、
複数の動作モードを有する機能部；
前記機能部の動作モードの切替履歴を格納する記憶部；
切替履歴に基づいて切替スケジュールを作成し、切替スケジュールに基づいて前記機能部の動作モードを選択する制御部；及び
前記機能部の動作モードを前記制御部で選択された動作モードに切り替え、前記機能部が所定時間内に切替後の動作モードで使用されない場合、切替前の動作モードに戻す動作モード設定部；
を有することを特徴の１つとする。
【００１０】
また、本発明の動作モード切替方法は、
複数の動作モードを有する機能部が含まれる移動端末における動作モード切替方法であって：
前記機能部の動作モードの切替履歴を格納するステップ；
切替履歴に基づいて切替スケジュールを作成し、切替スケジュールに基づいて前記機能部の動作モードを選択するステップ；及び
前記機能部の動作モードを前記制御部で選択された動作モードに切り替え、前記機能部が所定時間内に切替後の動作モードで使用されない場合、切替前の動作モードに戻すステップ；
を有することを特徴の１つとする。
【発明の効果】
【００１１】
本発明の実施例によれば、移動端末に付随する付加機能の動作モードを効率的に設定できる。
【図面の簡単な説明】
【００１２】
【図１】本発明の実施例に係る移動端末での動作モード切替の概念図（その１）
【図２】本発明の実施例に係る移動端末での動作モード切替の概念図（その２）
【図３】本発明の実施例に係る移動端末のブロック図
【図４】本発明の実施例に係る動作モード切替方法のフローチャート
【図５】動作モード切替処理の詳細なフローチャート
【図６】切替スケジュール作成処理の詳細なフローチャート
【図７】動作モード自動切替処理の詳細なフローチャート
【図８】本発明の実施例に係る動作モード切替方法により作成される切替スケジュールの例
【図９】動作モード切替処理の変形例のフローチャート
【図１０】動作モード自動切替処理の変形例のフローチャート
【図１１】優先度として使用時間が用いられるときの優先度設定テーブルの例
【図１２】優先度として使用時間が用いられるときの動作モード切替処理のフローチャート
【図１３】優先度として使用時間が用いられるときの動作モード自動切替処理のフローチャート
【図１４】切替履歴に位置情報が含まれるときの移動端末のブロック図
【図１５】切替履歴に位置情報が含まれるときの動作モード切替処理のフローチャート
【発明を実施するための形態】
【００１３】
本発明の実施例について、図面を参照して以下に説明する。
【００１４】
本発明の実施例では、移動端末は、移動端末に付随する付加機能部の切替履歴に基づいて、付加機能部の動作モードを自動的に切り替える。ただし、移動端末は、付加機能部が所定時間内に切替後の動作モードで使用されない場合、切替前の動作モードに戻してもよい。また、移動端末は、付加機能部が使用中である場合、使用終了後に動作モードを切り替えてもよい。
【００１５】
まず、移動端末ユーザが付加機能部の動作モードを切り替えたときに、切替後の動作モードと切替日時とが対応付けられた切替履歴が移動端末の記憶部に格納される。この切替履歴に基づいて切替スケジュールが作成され、スケジュールされた時刻に付加機能部の動作モードが自動的に切り替えられる。
【００１６】
図１に、本発明の実施例に係る移動端末での動作モード切替の概念図（その１）を示す。移動端末は、無線ＬＡＮ機能部、Ｂｌｕｅｔｏｏｔｈ機能部、Ｗｉｒｅｌｅｓｓ  ＵＳＢ機能部、ＦｅｌｉＣａ機能部、ＵＳＢ機能部、ミュージックプレイヤ機能部又はラジオ機能部のように、移動端末に付随する付加機能部を有する。ここでの付加機能部とは、基地局との通信以外の用途に使用される機能である。例えば、付加機能部は、基地局以外の他の通信相手との通信路を設定して通信してもよい。例えば、無線ＬＡＮ機能部は、無線ＬＡＮのアクセスポイントと通信路を設定して通信でき、Ｂｌｕｅｔｏｏｔｈ機能部は、Ｂｌｕｅｔｏｏｔｈ機能を有する通信相手と通信路を設定して通信でき、ＵＳＢ機能部は、ＵＳＢに接続されたパソコンのような機器と通信路を設定して通信できる。また、付加機能部は、通信を伴わない動作をしてもよい。例えば、ミュージックプレイヤ機能部は、メモリに格納された音楽を再生でき、ラジオ機能部は、電波を受信して音声放送を再生できる。
【００１７】
これらの付加機能部は、移動通信システムの基地局との通信以外の用途に使用されるため、使用開始前にオンに設定され、使用終了後にオフに設定されることが望ましい。例えば、移動端末ユーザがほぼ決まった時刻にＢｌｕｅｔｏｏｔｈ機能部をオンに切り替えて使用し、ほぼ決まった時刻にＢｌｕｅｔｏｏｔｈ機能部をオフにする場合、この切替履歴に基づいてＢｌｕｅｔｏｏｔｈ機能部が自動的にオン／オフに設定されることが望ましい。
【００１８】
このため、移動端末ユーザが移動端末のＢｌｕｅｔｏｏｔｈ機能部をオンに設定すると、この動作モードは、切替日時に対応付けられて移動端末の記憶部に格納される。例えば、移動端末ユーザが２月９日（月）の７：１２にＢｌｕｅｔｏｏｔｈ機能部をオンに設定すると、この切替履歴が記憶部に格納される。切替時刻は１０分単位、３０分単位、１時間単位のように所定の単位で格納されてもよい。切替時刻が３０分単位で格納される場合、２月９日（月）の７：００にＢｌｕｅｔｏｏｔｈ機能部をオンに設定したという切替履歴が記憶部に格納されてもよい。例えば、移動端末ユーザが２月９日（月）の９：０５にＢｌｕｅｔｏｏｔｈ機能部をオフに設定すると、この切替履歴が記憶部に格納される。この場合も同様に、２月９日（月）の９：００にＢｌｕｅｔｏｏｔｈ機能部をオフに設定したという切替履歴が記憶部に格納されてもよい。２月１０日（火）に、移動端末は、前日の切替履歴に基づいて２月１０日（火）の切替スケジュールを作成できる。例えば、２月１０日（火）の７：００にＢｌｕｅｔｏｏｔｈ機能部がオンになり、２月１０日（火）の９：００にＢｌｕｅｔｏｏｔｈ機能部がオフになるという切替スケジュールが作成される。この切替スケジュールに基づいて、Ｂｌｕｅｔｏｏｔｈ機能部の動作モードが切り替えられる。同様に、２月１０日（水）に、移動端末は、前日の切替履歴に基づいて２月１１日（水）の切替スケジュールを作成できる。ただし、２月１１日（水）の９：００の時点でＢｌｕｅｔｏｏｔｈ機能部が使用されている場合、使用終了後にＢｌｕｅｔｏｏｔｈ機能部がオフに切り替えられてもよい。同様に、２月１４日（土）に、移動端末は、前日の切替履歴に基づいて２月１４日（土）の切替スケジュールを作成できる。しかし、２月１４日（土）に移動端末ユーザがＢｌｕｅｔｏｏｔｈ機能部を使用しなかった場合、所定時間後に切替前の動作モードに戻される。例えば、２月１４日（土）の９：３０にオフの動作モードに戻されてもよい。更に、２月１４日（土）にＢｌｕｅｔｏｏｔｈ機能部が使用されなかったため、２月１４日（土）の切替履歴は削除されてもよい。この結果、２月１５日（日）に、移動端末は、前日の切替履歴が存在しないため、２月１５日（日）の切替スケジュールを作成しない。なお、２月１６日（月）に、前日の切替履歴は存在しないが、１週間前の同じ曜日の切替履歴が存在するため、移動端末は、２月９日（月）の切替履歴に基づいて、２月１６日（月）の７：００にＢｌｕｅｔｏｏｔｈ機能部がオンになり、２月１６日（月）の９：００にＢｌｕｅｔｏｏｔｈ機能部がオフになるという切替スケジュールを作成できる。
【００１９】
このように、本発明の実施例によれば、移動端末ユーザが月曜日にＢｌｕｅｔｏｏｔｈ機能のオン／オフを設定するだけで、翌日から自動的にＢｌｕｅｔｏｏｔｈ機能部がオン／オフされる。
【００２０】
図２に、本発明の実施例に係る移動端末での動作モード切替の概念図（その２）を示す。移動端末ユーザによっては、月曜日から金曜日に付加機能部を或る動作モードに設定し、土曜日及び日曜日に付加機能部を別の動作モードに設定することが考えられる。例えば、移動端末ユーザが平日にＵＳＢ機能部を通信モードで使用し、土曜日及び日曜日にＵＳＢ機能部をｍｉｃｒｏＳＤモードで使用する場合、この切替履歴に基づいてＵＳＢ機能部の動作モードが自動的に設定されることが望ましい。
【００２１】
このような場合でも同様に、移動端末ユーザが移動端末のＵＳＢ機能部を通信モードに設定すると、この動作モードは、切替日時に対応付けられて移動端末の記憶部に格納される。例えば、移動端末ユーザが２月９日（月）の９：２３にＵＳＢ機能部を通信モードに設定すると、この切替履歴が記憶部に格納される。切替時刻は１０分単位、３０分単位、１時間単位のように所定の単位で格納されてもよい。切替時刻が３０分単位で格納される場合、２月９日（月）の９：００にＵＳＢ機能部を通信モードに設定したという切替履歴が記憶部に格納されてもよい。２月１０日（火）に、移動端末は、前日の切替履歴に基づいて２月１０日（火）の切替スケジュールを作成できる。しかし、移動端末ユーザは、ＵＳＢ機能部を通信モードに設定したままにしているため、ＵＳＢ機能部の動作モードは既に設定されている。従って、２月１０日（火）にＵＳＢ機能部の動作モードは自動的に切替えられない。この結果、２月１０日（火）の切替履歴は存在しなくなる。２月１１日（水）に、移動端末は、前日の切替履歴が存在しないため、２月１１日（水）の切替スケジュールを作成しない。同様に、移動端末は、２月１２日（木）、２月１３日（金）及び２月１４日（土）の切替スケジュールも作成しない。例えば、移動端末ユーザが２月１４日（土）の１３：０６にＵＳＢ機能部をｍｉｃｒｏＳＤモードに設定すると、この切替履歴が記憶部に格納される。切替時刻が３０分単位で格納される場合、２月１４日（土）の１３：００にＵＳＢ機能部をｍｉｃｒｏＳＤモードに設定したという切替履歴が記憶部に格納されてもよい。２月１５日（日）に、移動端末は、前日の切替履歴に基づいて２月１５日（日）の切替スケジュールを作成できる。しかし、移動端末ユーザは、ＵＳＢ機能部をｍｉｃｒｏＳＤモードに設定したままにしているため、ＵＳＢ機能部の動作モードは既に設定されている。従って、ＵＳＢ機能部の動作モードは自動的に切替えられない。この結果、２月１５日（日）の切替履歴は存在しなくなる。２月１６日（月）に、前日の切替履歴は存在しないが、１週間前の同じ曜日の切替履歴が存在するため、移動端末は、２月９日（月）の切替履歴に基づいて、２月１６日（月）の９：００にＵＳＢ機能部が通信モードになるという切替スケジュールを作成できる。
【００２２】
このように、本発明の実施例によれば、移動端末ユーザが月曜日にＵＳＢ機能部を通信モードに設定し、土曜日にＵＳＢ機能部をｍｉｃｒｏＳＤモードに設定するだけで、翌週から自動的にＵＳＢ機能部の動作モードが設定される。
【００２３】
＜移動端末のブロック図＞
図３に、本発明の実施例に係る移動端末１０のブロック図を示す。移動端末１０は、基地局と通信可能な装置である。移動端末１０は、基地局との通信以外の用途に使用可能であり、且つ、複数の動作モードを有する付加機能部を有する。例えば、付加機能部は、基地局以外の他の通信相手との通信路を設定して通信してもよく、通信を伴わない動作をしてもよい。移動端末１０は、日時計測部１０１と、記憶部１０３と、制御部１０５と、表示部１０７と、操作部１０９と、動作モード設定部１１１とを有する。例えば、移動端末１０は、付加機能部として、無線ＬＡＮ機能部１１３ａと、Ｂｌｕｅｔｏｏｔｈ機能部１１３ｂと、ＵＳＢ機能部１１３ｃとを有する。
【００２４】
日時計測部１０１は、移動端末の時刻を管理する。日時計測部１０１は、制御部１０５からの要求に従って、現在の日時及び曜日を出力する。
【００２５】
記憶部１０３は、付加機能部毎に動作モードの切替履歴を格納する。例えば、Ｂｌｕｅｔｏｏｔｈ機能部１１３ｂ用の切替履歴には、設定された動作モード、Ｂｌｕｅｔｏｏｔｈ機能部の動作モードが切り替えられたときの切替日、曜日及び切替時刻が格納される。例えば、ＵＳＢ機能部１１３ｃの切替履歴には、設定された動作モード、ＵＳＢ機能部の動作モードが切り替えられたときの切替日、曜日及び切替時刻が格納される。例えば、記憶部１０３は、少なくとも１週間分の履歴を格納する。更に、記憶部１０３は、切替履歴に基づいて作成された切替スケジュールを格納してもよい。切替スケジュールは、動作モードと切替時刻とを含む。
【００２６】
記憶部１０３は、自動登録機能の有効／無効状態と、自動切替機能の有効／無効状態と、切替スケジュール作成時刻とを格納したパラメータ保存テーブルを有してもよい。自動登録機能が有効である場合には、動作モードが切り替えられたときに切替履歴が記憶部１０３に格納される。具体的な手順については後述する。例えば、出張等で移動端末ユーザが通常の切替スケジュールに従わない場合には、自動登録機能を無効状態にしておくことで、切替履歴に不要な情報が登録されることを防止できる。また、自動切替機能が有効である場合には、切替履歴に基づいて作成された切替スケジュールに従って動作モードが自動的に切り替えられる。例えば、出張等で移動端末ユーザが通常の切替スケジュールに従わない場合には、自動切替機能を無効状態にしておくことで、意図しない動作モード切替を防止できる。切替スケジュール作成時刻は、切替履歴に基づいて切替スケジュールが作成されるときの時刻を示す。
【００２７】
記憶部１０３は、付加機能部毎に動作モードの優先度を格納した優先度設定テーブルを有してもよい。例えば、優先度は、所定時間内に動作モードが使用されない場合、優先度の高いモードに設定する際に用いられる。例えば、頻繁に使用される動作モードは高い優先度を有してもよく、バッテリの消費を節約するために、オフの動作モードが高い優先度を有してもよい。
【００２８】
制御部１０５は、動作モードの切替を検出し、切替履歴を記憶部１０３に格納する。切替履歴に基づいて、制御部１０５は、切替スケジュールを作成する。更に、切替スケジュールに基づいて付加機能部の動作モードを選択する。例えば、図１及び２を参照して説明したように、制御部１０５は、１週間前の同じ曜日及び前日の切替履歴を参照して、切替スケジュールを作成する。制御部１０５は、切替スケジュールの切替時刻に該当する場合に、対応する動作モードを選択する。選択された動作モードは、動作モード設定部１１１に通知される。
【００２９】
動作モード設定部１１１は、制御部１０５で選択された動作モードに従って、各付加機能部の動作モードを切り替える。ただし、付加機能部が所定時間内に切替後の動作モードで使用されない場合、切替前の動作モードに戻してもよい。また、付加機能部が使用中である場合、使用終了後に動作モードを切り替えてもよい。なお、使用とは、付加機能部が所望の動作を実行することを言い、使用終了とは、付加機能の動作がオフになった状態又は停止した状態を言う。例えば、付加機能が基地局以外の他の通信相手との通信路を設定して通信する場合、使用終了とは、付加機能部に設定された通信路が切断された状態を言う。例えば、無線ＬＡＮ機能部１１３ａの使用終了とは、無線ＬＡＮのアクセスポイントの通信圏外になったときでもよく、Ｂｌｕｅｔｏｏｔｈ機能部１１３ｂの使用終了とは、通信相手の電源がオフになったときでもよく、ＵＳＢ機能部１１３ｃの使用終了とは、ＵＳＢ機能部１１３に接続されたＵＳＢケーブルが抜去されたときでもよい。
【００３０】
表示部１０７は、自動登録機能及び自動切替機能の有効／無効状態を表示する。また、表示部１０７は、各動作モードの優先度を表示する。
【００３１】
操作部１０９は、移動端末ユーザから自動登録機能及び自動切替機能の有効／無効状態を受け付ける。また、操作部１０９は、移動端末ユーザから各動作モードの優先度を受け付ける。移動端末ユーザから入力された情報は、記憶部１０３に格納される。なお、自動登録機能、自動切替機能及び優先度は、必ずしも操作部１０９を介して入力される必要はなく、移動端末ユーザの手間を低減するために移動端末の出荷時等に初期値が設定されてもよい。
【００３２】
＜動作モード切替方法のフローチャート＞
図４に、本発明の実施例に係る動作モード切替方法のフローチャートを示す。まず、自動登録機能及び自動切替機能の有効／無効状態のようなパラメータ、各動作モードの優先度が設定される（Ｓ１１）。前述のように、パラメータ及び優先度は初期値が予め設定されていてもよい。移動端末ユーザは、このような初期値を操作部１０９を介して変更してもよい。次に、動作モード切替処理（手動）において、移動端末ユーザにより、付加機能部の動作モードが切り替えられる（Ｓ１３）。このときに、設定された動作モード、切替日、曜日及び切替時刻が切替履歴に登録される。次に、切替スケジュール作成処理において、所定の時刻（例えば、記憶部１０３に格納された切替スケジュール作成時刻）に、１日分の切替スケジュールが作成される（Ｓ１５）。次に、動作モード自動切替処理において、作成された切替スケジュールに基づいて、付加機能部の動作モードが自動的に切り替えられる（Ｓ１７）。ただし、付加機能部が所定時間内に切替後の動作モードで使用されない場合、切替前の動作モードに戻されてもよい。また、付加機能部が使用中である場合、使用終了後に動作モードが切り替えられてもよい。その後、切替スケジュール作成処理において、次の１日分の切替スケジュールが作成される。なお、この動作モード切替方法は、各付加機能部毎に独立して実施されてもよい。
【００３３】
図５〜図８を参照して、これらの各処理の詳細な手順を説明する。ここでは、図３の移動端末１０の構成要素を用いて各処理の手順を説明するが、これらの手順は、他の構成要素により実行されてもよい。
【００３４】
図５に、動作モード切替処理の詳細なフローチャートを示す。この動作モード切替処理は、図４の動作モード切替処理（手動）（Ｓ１３）及び動作モード自動切替処理（Ｓ１７）で用いられる。まず、手動で付加機能部の動作モードが設定されたとき又は自動で付加機能部の動作モードが選択されたときに、切替前の動作モードと切替後の動作モードが同じであるか異なるかが判定される（Ｓ１０１）。同じである場合、動作モードの設定が終了しているため、処理が終了する。異なる場合、記憶部１０３に格納された自動登録機能が有効状態であるか無効状態であるかが判定される（Ｓ１０３）。無効状態である場合、記憶部１０３に切替履歴は格納されない。自動登録機能が有効状態である場合、制御部１０５は、切替履歴を記憶部１０３に格納する（Ｓ１０５）。具体的には、制御部１０５は、切替後の動作モード、切替日、曜日及び切替時刻を、対応する付加機能部の切替履歴に格納する。切替時刻は３０分単位で格納されてもよい。例えば、図１に示すように、移動端末ユーザが２月９日（月）の７：１２にＢｌｕｅｔｏｏｔｈ機能部をオンに設定すると、図８（Ａ）に示すように、２月９日（月）の７：００にＢｌｕｅｔｏｏｔｈ機能部をオンに設定したという切替履歴（エントリＮｏ．１）が記憶部１０３に格納される。例えば、図１に示すように、移動端末ユーザが２月９日（月）の９：０５にＢｌｕｅｔｏｏｔｈ機能部をオフに設定すると、図８（Ａ）に示すように、２月９日（月）の９：００にＢｌｕｅｔｏｏｔｈ機能部をオフに設定したという切替履歴（エントリＮｏ．２）が記憶部１０３に格納される。ただし、手動で動作モードを切り替えたときに、同じ時刻の切替スケジュールが既に記憶部１０３に存在する場合、手動で切り替えたときの切替履歴は記憶部１０３に格納されなくてもよい。これにより、以前に切り替えた動作モードが優先される。動作モード設定部１１１は、手動で設定された動作モード又は制御部１０５で自動的に選択された動作モードを受け取ると、現在の動作モードで付加機能部が使用中であるか否かを判定する（Ｓ１０７）。使用中である場合、使用終了まで待機する（Ｓ１０９）。使用終了後、動作モード設定部１１１は、手動で設定された動作モード又は制御部１０５で選択された動作モードに切り替える（Ｓ１１１）。
【００３５】
図６に、切替スケジュール作成処理の詳細なフローチャートを示す。所定の時刻（例えば、記憶部１０３に格納された切替スケジュール作成時刻）に、記憶部１０３に格納された自動切替機能が有効状態であるか無効状態であるかが判定される（Ｓ１２１）。無効状態である場合、切替スケジュールは作成されず、処理が終了する。自動切替機能が有効である場合、各付加機能部の切替スケジュール作成処理が実行される。
【００３６】
各付加機能部の切替スケジュール作成処理では、制御部１０５は、記憶部１０３に格納された切替履歴のうち、１週間前の同じ曜日の切替履歴に基づいて切替スケジュールを生成する（Ｓ１２３）。例えば、図８（Ａ）に示す切替履歴が記憶部１０３に格納されている場合、２月１６日（月）に、制御部１０５は、２月９日（月）の切替履歴に基づいて、図８（Ｂ）に示すように、２月１６日（月）の７：００にＢｌｕｅｔｏｏｔｈ機能部がオンになり、２月１６日（月）の９：００にＢｌｕｅｔｏｏｔｈ機能部がオフになるという切替スケジュールを生成する。更に、制御部１０５は、記憶部１０３に格納された切替履歴のうち、前日の切替履歴に基づいて切替スケジュールを生成する（Ｓ１２５）。例えば、図８（Ａ）に示す切替履歴が記憶部１０３に格納されている場合、２月１０日（火）に、制御部１０５は、２月９日（月）の切替履歴に基づいて、図８（Ｂ）に示すように、２月９日（火）の７：００にＢｌｕｅｔｏｏｔｈ機能部がオンになり、２月９日（火）の９：００にＢｌｕｅｔｏｏｔｈ機能部がオフになるという切替スケジュールを生成する。このような付加機能部の切替スケジュール作成処理が、各付加機能部について繰り返される。
【００３７】
なお、図６のフローチャートでは、１週間前の同じ曜日の切替履歴と前日の切替履歴との双方が存在する場合に、双方の切替履歴の組み合わせが用いられる。例えば、前日の２月９日（月）の切替履歴に加えて、２月３日（火）の１９：００にＢｌｕｅｔｏｏｔｈ機能部がオンになり、２月３日（火）の２１：００にＢｌｕｅｔｏｏｔｈ機能部がオフになるという切替履歴が記憶部１０３に更に格納されている場合、２月９日（火）の７：００にＢｌｕｅｔｏｏｔｈ機能部がオンになり、２月９日（火）の９：００にＢｌｕｅｔｏｏｔｈ機能部がオフになり、更に、２月９日（火）の１９：００にＢｌｕｅｔｏｏｔｈ機能部がオンになり、２月９日（火）の２１：００にＢｌｕｅｔｏｏｔｈ機能部がオフになるという切替スケジュールが作成される。ただし、１週間前の同じ曜日の切替履歴と前日の切替履歴との間で同じ時刻に同じ付加機能部の切替履歴が存在する場合に、前日の切替が優先されてもよい。
【００３８】
図７に、動作モード自動切替処理の詳細なフローチャートを示す。切替時刻になると、制御部１０５は、自動切替機能が有効状態であるか無効状態であるかを判定する（Ｓ１４１）。無効状態である場合、動作モードは自動的に切り替えられず、処理が終了する。自動切替機能が有効状態である場合、動作モード切替処理（Ｓ１０１〜Ｓ１１１）が実行される。例えば、上記のように２月１０日（火）の切替スケジュールが作成された場合、２月１０日（火）の７：００に、切替前の動作モード（オフ）と切替後の動作モード（オン）とが異なるため（Ｓ１０１）、記憶部１０３に格納された自動登録機能が有効状態であるか無効状態であるかが判定される（Ｓ１０３）。自動登録機能が有効状態である場合、制御部１０５は、図８（Ａ）に示すように、２月１０日（火）の７：００にＢｌｕｅｔｏｏｔｈ機能部をオンに設定したという切替履歴（エントリＮｏ．３）を記憶部１０３に格納する（Ｓ１０５）。そして、Ｂｌｕｅｔｏｏｔｈ機能部がオンに切り替えられる（Ｓ１１１）。更に、２月１０日（火）の９：００に、切替前の動作モード（オン）と切替後の動作モード（オフ）とが異なるため（Ｓ１０１）、記憶部１０３に格納された自動登録機能が有効状態であるか無効状態であるかが判定される（Ｓ１０３）。自動登録機能が有効状態である場合、制御部１０５は、図８（Ａ）に示すように、２月１０日（火）の９：００にＢｌｕｅｔｏｏｔｈ機能部をオフに設定したという切替履歴（エントリＮｏ．４）を記憶部１０３に格納する（Ｓ１０５）。そして、Ｂｌｕｅｔｏｏｔｈ機能部がオフに切り替えられる（Ｓ１１１）。
【００３９】
同様の手順で、２月１１日（水）の７：００に、Ｂｌｕｅｔｏｏｔｈ機能部がオンに切り替えられ、２月１１日（水）の９：００にＢｌｕｅｔｏｏｔｈ機能部がオフに切り替えられる。ただし、図１に示すように、２月１１日（水）の９：００にＢｌｕｅｔｏｏｔｈ機能部は使用中であるため（Ｓ１０７）、使用終了まで待機する（Ｓ１０９）。２月１１日（水）の９：２５にＢｌｕｅｔｏｏｔｈ機能部の使用が終了すると、動作モード設定部１１１は、Ｂｌｕｅｔｏｏｔｈ機能部をオフに切り替える（Ｓ１１１）。
【００４０】
記憶部１０３に動作モードの優先度が格納されている場合、動作モード設定部１１１は、切替前の動作モードの優先度と切替後の動作モードの優先度とを比較してもよい（Ｓ１４５）。切替後の動作モードの優先度の方が高い場合、処理が終了する。切替後の動作モードの優先度の方が低い場合、動作モード設定部１１１は、所定時間（例えば、３０分間）待機する（Ｓ１４７）。所定時間内に手動で動作モードが切り替えられた場合（Ｓ１４９）、処理が終了する。なお、手動で動作モードが切り替えられた場合、図５のＳ１０１に戻り、Ｓ１０５において、手動で切り替えられた履歴が格納される。所定時間内に手動で動作モードが切り替えられていない場合、動作モード設定部１１１は、所定時間内に動作モードが使用されたか否かを判定する（Ｓ１５１）。所定時間内に動作モードが使用された場合、処理が終了する。所定時間内に動作モードが使用されない場合、動作モード設定部１１１は、切替前の動作モードに戻す（Ｓ１５３）。更に、制御部１０５は、Ｓ１０５において格納された切替履歴を削除する（Ｓ１５５）。このようにして、使用しなかった履歴が削除され、実際に使用された履歴のみが記憶部１０３に格納される。
【００４１】
例えば、上記と同様の手順で、２月１４日（土）の７：００に、Ｂｌｕｅｔｏｏｔｈ機能部がオンに切り替えられ、図８（Ａ）に示すように、２月１４日（土）の７：００にＢｌｕｅｔｏｏｔｈ機能部をオンに設定したという切替履歴（エントリＮｏ．１１）が記憶部１０３に格納される。記憶部１０３に格納された優先度を参照すると、切替後の動作モードであるオンの優先度が低いため、動作モード設定部１１１は、例えば３０分間待機し、その間に手動切替及びＢｌｕｅｔｏｏｔｈ機能部のオンの動作モードでの使用を判定する。２月１４日（土）の９：００〜９：３０の間にＢｌｕｅｔｏｏｔｈ機能部が使用されないため、９：３０に、動作モード設定部１１１は、切替前の動作モードに戻す。このように、所定時間内に自動で切り替えられた動作モードが使用されない場合に、優先度の高い切替前の動作モードに戻すことにより、例えば、バッテリの消費を節約できる。更に、制御部１０５は、９：００の切替履歴（図８（Ａ）のエントリＮｏ．１１）を削除する。このようにして、使用しなかった履歴が削除され、翌日の９：００に動作モードが切り替えられることを回避できる。
【００４２】
上記の手順に従って、２月１４日（土）の切替履歴は存在しないため、制御部１０５は、２月１５日（日）の切替スケジュールを作成しない。２月１６日（月）に、１週間前の２月９日（月）の切替履歴が記憶部１０３に格納されているため、制御部１０５は、２月９日（月）の切替履歴に基づいて、図８（Ｂ）に示すように、２月１６日（月）の７：００にＢｌｕｅｔｏｏｔｈ機能部がオンになり、２月１６日（月）の９：００にＢｌｕｅｔｏｏｔｈ機能部がオフになるという切替スケジュールを生成する。
【００４３】
＜各付加機能部の動作モード切替処理及び動作モード自動切替処理の変形例のフローチャート＞
図９及び図１０を参照して、各付加機能部の動作モード切替処理及び動作モード自動切替処理の変形例について説明する。この変形例でも、動作モードの優先度が用いられる。例えば、優先度は、頻繁に使用される動作モード又はバッテリの消費が少ない動作モードに優先的に設定するために用いられる。従って、各付加機能部は基本的に優先度の高い動作モードに優先的に設定されるため、優先度の低い動作モードに切り替えられた履歴を重視する。このため、付加機能部が優先度の高い動作モードに切り替えられた場合には、切替履歴を格納せず、付加機能部が優先度の低い動作モードに切り替えられた場合に、切替履歴を格納する。また、優先度の低い動作モードの使用終了後に、優先度の高い動作モードに戻す。
【００４４】
図９に、動作モード切替処理の変形例のフローチャートを示す。この動作モード切替処理は、図４の動作モード切替処理（手動）（Ｓ１３）及び動作モード自動切替処理（Ｓ１７）で用いられる。まず、手動で付加機能部の動作モードが設定されたとき又は自動で付加機能部の動作モードが選択されたときに、切替前の動作モードと切替後の動作モードが同じであるか異なるかが判定される（Ｓ２０１）。同じである場合、動作モードの設定が終了しているため、処理が終了する。異なる場合、記憶部１０３に格納された自動登録機能が有効状態であるか無効状態であるかが判定される（Ｓ２０３）。無効状態である場合、記憶部１０３に切替履歴は格納されない。自動登録機能が有効状態である場合、制御部１０５は、切替前の動作モードと切替後の動作モードとを比較する（Ｓ２０４）。切替後の動作モードの優先度の方が高い場合、切替履歴は記憶部１０３に格納されない。切替後の動作モードの優先度の方が低い場合、制御部１０５は、切替履歴を記憶部１０３に格納する（Ｓ２０５）。具体的には、制御部１０５は、切替後の動作モード、切替日、曜日及び切替時刻を、対応する付加機能部の切替履歴に格納する。動作モード設定部１１１は、手動で設定された動作モード又は制御部１０５で自動的に選択された動作モードを受け取ると、現在の動作モードで付加機能部が使用中であるか否かを判定する（Ｓ２０７）。使用中である場合、使用終了まで待機する（Ｓ２０９）。使用終了後、動作モード設定部１１１は、手動で設定された動作モード又は制御部１０５で選択された動作モードに切り替える（Ｓ２１１）。更に、動作モード設定部１１１は、切替前の動作モードと切替後の動作モードとを比較する（Ｓ２１３）。切替後の動作モードの優先度の方が高い場合、処理が終了する。切替後の動作モードの優先度の方が低い場合、動作モード設定部１１１は所定時間（例えば、３０分間）待機し（Ｓ２１５）、使用終了後に切替前の動作モードに戻す（Ｓ２１７）。
【００４５】
このようにして切り替えられた動作モードの切替履歴に基づいて、図６を参照して説明したように、切替スケジュールが作成される。
【００４６】
図１０に、動作モード自動切替処理の変形例のフローチャートを示す。切替時刻になると、制御部１０５は、自動切替機能が有効状態であるか無効状態であるかを判定する（Ｓ２４１）。無効状態である場合、動作モードは自動的に切り替えられず、処理が終了する。自動切替機能が有効状態である場合、動作モード切替処理（Ｓ２０１〜Ｓ２１７）が実行される。例えば、優先度の高い動作モードから優先度の低い動作モードに切り替える場合、上記のように、制御部１０５は、切替履歴を格納し、動作モード設定部１１１は、所定時間待機し、使用終了後に切替前の動作モードに戻す。更に、動作モード設定部１１１は、所定時間内に動作モードが使用されたか否かを判定する（Ｓ２４５）。所定時間内に動作モードが使用された場合、処理が終了する。所定時間内に動作モードが使用されない場合、制御部１０５は、Ｓ２０５において格納された切替履歴を削除する（Ｓ２４７）。
【００４７】
この変形例によっても、付加機能部の切替履歴に基づいて、付加機能部の動作モードが自動的に切り替えられる。また、優先度の低い動作モードの使用終了後に、付加機能部が自動的に優先度の高い動作モードに戻るため、例えば、Ｂｌｕｅｔｏｏｔｈ機能部をオンに切り替えた後で、使用終了後に自動的にＢｌｕｅｔｏｏｔｈ機能部をオフに設定できる。
【００４８】
＜使用時間を用いた変形例のフローチャート＞
図１１〜図１３を参照して、優先度として使用時間を用いた変形例について説明する。上記のように、優先度は、所定時間内に動作モードが使用されない場合、優先度の高いモードに設定する際に用いられる。
【００４９】
図１１に、優先度として使用時間が用いられるときの優先度設定テーブルを示す。優先度設定テーブルには、優先度として、各動作モードを使用した合計の使用時間が格納されてもよい。例えば、使用時間の長い動作モードの優先度は高いと考えられ、使用時間の短い動作モードの優先度は低いと考えられる。このように優先度として使用時間を用いることにより、頻繁に使用される動作モードに優先的に設定できる。
【００５０】
図１２に、優先度として使用時間が用いられるときの動作モード切替処理のフローチャートを示す。Ｓ３０１〜Ｓ３０５は、図５のＳ１０１〜Ｓ１０５と同じであるため、説明を省略する。制御部１０５は、切替履歴を記憶部１０３に格納すると共に（Ｓ３０５）、切替前の動作モードの使用時間を記憶部１０３の優先度設定テーブルの使用時間に加算する（Ｓ３０６）。以後の処理であるＳ３０７〜Ｓ３１１は、図５のＳ１０７〜Ｓ１１１と同じであるため、説明を省略する。
【００５１】
図１３に、優先度として使用時間が用いられるときの動作モード自動切替処理のフローチャートを示す。Ｓ３４１〜Ｓ３４３は、図７のＳ１４１〜Ｓ１４３と同じであるため、説明を省略する。Ｓ３４５において、動作モード設定部１１１は、切替前の動作モードの使用時間と切替後の動作モードの優先度とを比較する。切替後の動作モードの使用時間の方が長い場合、処理が終了する。切替後の動作モードの使用時間の方が短い場合、動作モード設定部１１１は、所定時間（例えば、３０分間）待機する（Ｓ３４７）。以後、図７のＳ１４９〜Ｓ１５３で説明したように、所定時間内に手動で動作モードが切り替えられておらず、所定時間内に動作モードが使用されない場合、動作モード設定部１１１は、使用時間の長い切替前の動作モードに戻す（Ｓ３４９〜Ｓ３５３）。更に、制御部１０５は、Ｓ３０５において格納された切替履歴を削除する（Ｓ３５５）。
【００５２】
なお、図９及び１０に示すフローチャートにおいても、図１１〜図１３を参照して説明した変形例と同様に、優先度として使用時間を使用できる。
【００５３】
＜切替履歴に位置情報が含まれるときの変形例のフローチャート＞
図１４及び図１５を参照して、切替履歴に位置情報が含まれるときの変形例について説明する。切替履歴に位置情報を含めることにより、出張等で移動端末ユーザが通常の切替スケジュールに従わない場合であっても、自動切替機能を手動で無効状態にする必要がなくなる。
【００５４】
図１４に、切替履歴に位置情報が含まれるときの移動端末２０のブロック図を示す。移動端末２０は、図３に示す各構成要素に加えて、位置情報取得部２０２を更に有する。また、切替履歴に位置情報が含まれ、切替スケジュールにも位置情報が含まれる。日時計測部２０１と、記憶部２０３と、制御部２０５と、表示部２０７と、操作部２０９と、動作モード設定部２１１の各機能は、以下に説明する点を除いて、図３を参照して説明した日時計測部１０１と、記憶部１０３と、制御部１０５と、表示部１０７と、操作部１０９と、動作モード設定部１１１と同じである。
【００５５】
位置情報取得部２０２は、移動端末２０の位置情報を取得する。例えば、位置情報は、基地局の識別子（セルＩＤ）から取得されてもよく、ＧＰＳ測位、基地局測位等から取得されてもよい。例えば、セルＩＤとしてＰｒｉｍａｒｙ  Ｓｃｒａｍｂｌｉｎｇ  Ｃｏｄｅが用いられてもよい。
【００５６】
記憶部２０３は、付加機能部毎に動作モードの切替履歴を格納する。切替履歴には、動作モードが切り替えられたときに位置情報部２０２で取得された位置情報が含まれる。例えば、Ｂｌｕｅｔｏｏｔｈ機能部２１３ｂ用の切替履歴には、設定された動作モード、Ｂｌｕｅｔｏｏｔｈ機能部の動作モードが切り替えられたときの切替日、曜日、切替時刻及び位置が格納される。更に、記憶部２０３は、切替履歴に基づいて作成された切替スケジュールを格納してもよい。切替スケジュールは、動作モードと切替時刻と位置とを含む。
【００５７】
記憶部２０３は、パラメータ保存テーブル内に位置情報の許容誤差を更に格納する。許容誤差は、操作部２０９を介して移動端末ユーザから入力され、表示部２０７を介して移動端末ユーザに表示される。なお、許容誤差は、必ずしも操作部２０９を介して入力される必要はなく、移動端末ユーザの手間を低減するために移動端末の出荷時等に初期値が設定されてもよい。
【００５８】
制御部２０５は、動作モードの切替を検出し、切替履歴を記憶部２０３に格納する。この場合、制御部２０５は、動作モードが切り替えられたときの位置情報を、動作モード、切替日、曜日及び切替時刻に対応付けて記憶部２０３に格納する。切替履歴に基づいて、制御部２０５は、切替スケジュールを作成する。更に、切替スケジュールに基づいて付加機能部の動作モードを選択する。このとき、切替時刻に該当する場合であっても、現在位置が切替履歴の位置から許容誤差範囲内でない場合、制御部２０５は、付加機能部の動作モードを切り替えないように判定する。切替時刻に該当し、現在位置が切替履歴の位置から許容誤差範囲内にある場合、制御部２０５は、対応する動作モードを選択する。選択された動作モードは、動作モード設定部２１１に通知される。
【００５９】
図１５に、切替履歴に位置情報が含まれるときの動作モード切替処理のフローチャートを示す。自動で付加機能部の動作モードが選択されたときに、切替前の動作モードと切替後の動作モードが同じであるか異なるかが判定される（Ｓ４０１）。同じである場合、動作モードの設定が終了しているため、処理が終了する。異なる場合、自動で選択された動作モードに対応する位置と現在位置との差が許容誤差範囲内であるか許容誤差範囲外であるかが判定される（Ｓ４０２）。許容誤差範囲外である場合、処理が終了する。すなわち、自動で選択された動作モードに切り替えられない。許容誤差範囲内である場合、記憶部２０３に格納された自動登録機能が有効状態であるか無効状態であるかが判定される（Ｓ４０３）。無効状態である場合、記憶部２０３に切替履歴は格納されない。自動登録機能が有効状態である場合、制御部２０５は、切替履歴を記憶部２０３に格納する（Ｓ４０５）。このとき、制御部２０５は、動作モードが切り替えられたときの位置情報を、動作モード、切替日、曜日及び切替時刻に対応付けて記憶部２０３に格納する。以後の処理であるＳ４０７〜Ｓ４１１は、図５のＳ１０７〜Ｓ１１１と同じであるため、説明を省略する。
【００６０】
なお、図９及び１２に示すフローチャートにおいても、図１５を参照して説明した変形例と同様に、制御部２０５は、位置情報に基づいて動作モードを切り替えるか否かを判定できる。
【００６１】
以上のように、本発明の実施例によれば、移動端末ユーザが各付加機能部の動作モードを設定する手間を低減できる。
【００６２】
また、本発明の実施例によれば、付加機能部が所定時間内に切替後の動作モードで使用されない場合、動作モード設定部１１１が切替前の動作モードに戻し、使用しなかった履歴が記憶部１０３から削除されるため、実際に使用された履歴のみが記憶部１０３に格納される。この結果、翌日の無駄な動作モードの切替を回避できる。
【００６３】
更に、本発明の実施例によれば、切り替え対象の付加機能部が使用中である場合、動作モード設定部１１１は、使用終了後に動作モードを切り替える。このため、使用中の動作モードの中断が回避される。
【００６４】
また、記憶部１０３で自動登録機能及び自動切替機能を設定できる。このため、出張等で移動端末ユーザが通常の切替スケジュールに従わない場合には、これらの機能を無効状態にしておくことで、意図しない動作モード切替を防止できる。
【００６５】
また、優先度を用いて、頻繁に使用される動作モード又はバッテリの消費が少ない動作モードに優先的に設定できる。優先度の低い動作モードの使用終了後に、付加機能部の動作モードを優先度の高い動作モードに自動的に戻すことにより、移動端末ユーザの操作を更に低減できる。優先度として使用時間が用いられる場合、移動端末ユーザが優先度を設定する手間を低減できる。
【００６６】
また、制御部１０５が切り替え判定に位置情報を用いることにより、出張等で移動端末ユーザが通常の切替スケジュールに従わない場合であっても、移動端末ユーザは自動切替機能を手動で無効状態にする必要がなくなる。
【符号の説明】
【００６７】
１０      移動端末
１０１    日時計測部
１０３    記憶部
１０５    制御部
１０７    表示部
１０８    操作部
１１１    動作モード設定部
１１３ａ  無線ＬＡＮ機能部
１１３ｂ  Ｂｌｕｅｔｏｏｔｈ機能部
１１３ｃ  ＵＳＢ機能部
２０      移動端末
２０１    日時計測部
２０２    位置情報取得部
２０３    記憶部
２０５    制御部
２０７    表示部
２０８    操作部
２１１    動作モード設定部
２１３ａ  無線ＬＡＮ機能部
２１３ｂ  Ｂｌｕｅｔｏｏｔｈ機能部
２１３ｃ  ＵＳＢ機能部
【図１】
2010272965.tif 000003
【図２】
2010272965.tif 000004
【図３】
2010272965.tif 000005
【図４】
2010272965.tif 000006
【図５】
2010272965.tif 000007
【図６】
2010272965.tif 000008
【図７】
2010272965.tif 000009
【図８】
2010272965.tif 000010
【図９】
2010272965.tif 000011
【図１０】
2010272965.tif 000012
【図１１】
2010272965.tif 000013
【図１２】
2010272965.tif 000014
【図１３】
2010272965.tif 000015
【図１４】
2010272965.tif 000016
【図１５】
2010272965.tif 000017